(57)【特許請求の範囲】
【請求項１】
継ぎ足し可能なマストに沿ってクレーンを昇降する昇降装置の上部昇降フレームと下部昇降フレームとを夫々別個に梁に固定可能にすると共に、マストの下端に取付けた下部支持架台と該下部支持架台より上部にてマストに取付けた上部支持架台とを別個に梁に固定可能にし、
クレーン作業時及びクライミング時におけるクレーンの自重は、マストの下部に固定した上・下部支持架台から梁上に張り出した荷重支持手段を介して下部の上下の梁により分散して支持すると共に、
マストに作用するモーメント荷重は、上・下部支持架台とマストとの間で拘束部材が当接するモーメント支持手段、及び、上・下部支持架台の荷重支持手段と梁との間で当接金物が当接するモーメント支持手段によって水平方向の移動を梁に対して拘束することにより支持し、
マストを上昇させる際におけるクレーンの自重は、上・下部昇降フレームから梁上に張り出した荷重支持手段を介して上部の上下の梁により分散して支持すると共に、
マストに作用するモーメント荷重は、上・下部昇降フレームとマストとの間で拘束部材が当接するモーメント支持手段、及び、上・下部昇降フレームの荷重支持手段と梁との間で当接金物が当接するモーメント支持手段によって水平方向の移動を梁に対して拘束することにより支持することを特徴とするクライミングクレーンの支持方法。
【請求項２】
継ぎ足しによって形成されるマストと、マストに沿って上下動可能に設けたクレーンと、クレーンの下部に固定されてカンヌキ装置によりマストに固定可能な上部昇降フレームと、上部昇降フレームの下部にてマストに嵌合し上部昇降フレームに伸縮シリンダを介して連結されカンヌキ装置によりマストに固定可能な下部昇降フレームと、マストの下端に取付けた下部支持架台と、下部支持架台より上部にてマストに取付けた上部支持架台とを備え、上・下部昇降フレーム及び上・下部支持架台の夫々は、構築された梁上に張り出す荷重支持手段によりクレーンの自重を支持できると共に、上・下部昇降フレーム及び上・下部支持架台の夫々とマストとの間で拘束部材が当接するモーメント支持手段と、上・下部昇降フレーム及び上・下部支持架台に備えた荷重支持手段の夫々と梁との間で当接金物が当接するモーメント支持手段とにより水平方向の移動を拘束できるようにしたことを特徴とするクライミングクレーンの支持装置。
【請求項３】
荷重支持手段が、上・下部昇降フレーム及び上・下部支持架台に取付けて梁の上側に対して水平に伸縮が可能な複数の支持部材であることを特徴とする請求項２記載のクライミングクレーンの支持装置。
【請求項４】
伸縮可能な支持部材の先端に鉛直なジャッキを備えたことを特徴とする請求項３記載のクライミングクレーンの支持装置。
【請求項５】
上・下部昇降フレームの荷重支持手段に備えられる複数のジャッキの高圧室、及び、上・下部支持架台の荷重支持手段に備えられる複数のジャッキの高圧室が、夫々連通管を介して接続されていることを特徴とする請求項４記載のクライミングクレーンの支持装置。
【請求項６】
荷重支持手段が、上・下部昇降フレーム及び上・下部支持架台の下側にて梁間に渡したビーム状の支持部材であることを特徴とする請求項２記載のクライミングクレーンの支持装置。
【請求項７】
荷重支持手段が、上・下部昇降フレーム及び上・下部支持架台に設けた水平回動可能な支持部材であることを特徴とする請求項２記載のクライミングクレーンの支持装置。
【請求項８】
上部支持架台が、マストに対する取付け位置を上下に変更可能であることを特徴とする請求項２〜７のいずれかに記載のクライミングクレーンの支持装置。
【発明の詳細な説明】
【０００１】
【発明の属する技術分野】
本発明は、超高層ビル等の建設に用いるクライミングクレーンの支持方法及び装置に関するものである。
【０００２】
【従来の技術】
超高層ビルを建設する場合、ビル予定地の内側に垂直なクライミングクレーンを設置し、クレーンにより建築資材を吊上げてビルの複数のフロアを構築し、構築したフロアの梁にクレーンを支持し、クレーンを上昇させて再び上部にフロアを構築する作業を繰り返すことにより、順次上方に工事を行って超高層ビルを建設している。
【０００３】
従来のクライミングクレーンを用いて鉄骨構造のビルを建設する場合の一例を図２９〜図４４を参照して説明する。
【０００４】
従来のクライミングクレーンは、図２９に示すように、ビル予定地の内側（例えば中心部）の基礎に、ブロック１ａが接続されたマスト１の下端を、固定台２を介してマスト１が鉛直になるようにアンカーボルト３により固定し、マスト１に昇降装置４を介してクレーン５が昇降可能に取付けられた構成を有している。又、マスト１の固定台２に近い下端には、固定支持台１４が予め取付けられている。
【０００５】
昇降装置４は、マスト１とクレーン５とを相対的にクライミングさせるためのものであり、図２９〜図３１に示すように、マスト１に嵌合されてクレーン５の下側に固定され、図３２に示すようにマスト１の上下方向に均等間隔で形成されたピン穴６へのピン７の差込みと引き抜きを行うようにしたカンヌキ装置８によりマスト１に固定可能な上部昇降フレーム９と、上部昇降フレーム９の下部にてマスト１に嵌合し、上部昇降フレーム９に伸縮シリンダ１０を介して連結され前記と同様のカンヌキ装置８によってマスト１のピン穴６にピン７を挿脱することにより固定できるようにした下部昇降フレーム１１とから構成されている。マスト１は、図３２に示すようにパイプによって形成されたものと、図３３に示すようにトラスによって組立てたものとがあり、図３２のパイプにはピン７挿入のためのピン穴６が均等間隔で形成されており、又図３３のトラスによって組立てたものの場合には、水平トラス１２の下部に形成される逆Ｖ字状部をピン穴６としてピン７を差込んでマスト１を支持するようにしている。
【０００６】
更に、図２９、図３０に示すように、上部昇降フレーム９には載置台１３が設けられており、この載置台１３は、柱材１５と梁１６とによって構築された最上段のフロアの梁１６（図３０参照）の上に載置することによって、クライミングクレーン全体の自重を梁１６に支持させるようにしている。
【０００７】
クライミングクレーンの自重を上記載置台１３により最上段の梁１６に支持させた状態で、マスト１の下端を固定台２から切り離し、固定支持台１４を図３４、図３５に示す支持部材等による荷重支持手段１７を介して、図３６に示すように梁１６の上に載置することにより、クライミングクレーンの自重を所定の梁１６に支持させるようにしている。
【０００８】
図３４は荷重支持手段１７の例を示したもので、マスト１の下端に水平方向十字状に延びた固定支持台１４を設け、該固定支持台１４の下側に梁１６，１６間に渡すビーム状の支持部材１８を設け、この支持部材１８を介してクライミングクレーンの自重を梁１６に支持するようにしている。
【０００９】
このとき、クライミングクレーンには重心の変化によってモーメント荷重が発生するので、このモーメント荷重を受けるために、ビーム状の支持部材１８と梁１６とを上下の固定プレート１９で挟んで固定ボルト２０で締め付けることにより固定している。更に、ビーム状の支持部材１８とその上に載置するマスト１の固定支持台１４も、同様に上下の固定プレート１９で挟んで固定ボルト２０で締め付けることにより固定している。
【００１０】
又、図３５では、マスト１の下端に十字方向に延びている固定支持台１４の先端に、垂直ピン２１を中心に水平回動可能な回動アーム２２を設けて折り畳み可能にした支持部材２３により荷重支持手段１７を構成した場合を示している。図３５の折り畳み可能な荷重支持手段１７の場合も、固定プレート１９と固定ボルト２０によって回動アーム２２による支持部材２３を梁１６に固定するようにしている。図３５の支持部材２３の回動アーム２２を図３７、又は図３８に示すように折曲げることにより、荷重支持手段１７は梁１６に干渉することなく昇降することができる。
【００１１】
上記において、上部昇降フレーム９の載置台１３又は固定支持台１４によりクライミングクレーンの自重を梁１６に支持させる際には、梁１６に過大な負荷が掛かることになり、このために、自重が掛かる梁１６には図３０、図３６に示すような斜材等の補強材２４を取付ける必要がある。
【００１２】
上記した従来のクライミングクレーンにより鉄骨構造のビルを構築するには、先ず、図３９に示すように、数個のブロック１ａが接続されたマスト１を、アンカーボルト３により固定台２を介してビルの基礎に鉛直に固定し、マスト１に固定支持台１４と、昇降装置４及びクレーン５を取付ける。
【００１３】
続いて、クレーン５によりマスト１の上部にブロック１ａを継ぎ足してマスト１を上方に延長すると共に、昇降装置４によりクレーン５をマスト１に沿って上昇させる。即ち、図３０、図３１に示すように、上部昇降フレーム９と下部昇降フレーム１１のカンヌキ装置８のピン７がマスト１のピン穴６に嵌入された状態から、上部昇降フレーム９のピン７をピン穴６から引き抜き、続いて伸縮シリンダ１０を伸長させて上部昇降フレーム９及びクレーン５をマスト１に沿って１フロアの高さ分だけ押し上げて上部昇降フレーム９のピン７をピン穴６に差込み、続いて下部昇降フレーム１１のピン７をピン穴６から引き抜いて伸縮シリンダ１０を１フロアの高さ分だけ縮小して下部昇降フレーム１１を上昇させた後、下部昇降フレーム１１のピン７をピン穴６に差込む。この操作を繰り返すことによってクレーン５を上昇させる。
【００１４】
更に、上記マスト１の延長とクレーン５の上昇に伴って、クレーン５により柱材１５や梁１６等を吊上げ、旋回操作を行って既設部分に連結することによりフロアを順次構築し、図４０に示すように例えば１０階までフロアを構築する。
【００１５】
続いて、１０階のフロアの梁１６に図３０に示すような補強材２４を取付けることにより梁１６を補強する。
【００１６】
続いて、ピン７にて上部昇降フレーム９と下部昇降フレーム１１がマスト１に固定された状態から伸縮シリンダ１０を縮小して上部昇降フレーム９を下降させ、上部昇降フレーム９のピン７をピン穴６に差込むことにより、図３０、図４０に示すように載置台１３を１０階の梁１６上に載置させ、クライミングクレーンの自重を１０階の梁１６に支持させる。
【００１７】
次に、図４０のマスト１の下端を固定台２から切り離し、昇降装置４によって図４１に示すようにマスト１を上昇させる。即ち、上下のカンヌキ装置８のピン７がマスト１のピン穴６に嵌入された状態から、下部昇降フレーム１１のピン７をピン穴６から引き抜き、伸縮シリンダ１０を伸長させて下部昇降フレーム１１をマスト１に沿って例えば１フロアの高さ分だけ押し下げた後、下部のピン７をピン穴６に差込み、続いて上部昇降フレーム９のピン７をピン穴６から引き抜いて伸縮シリンダ１０を１フロアの高さ分だけ縮小すると、マスト１は１フロア分だけ上昇するので、その後上部昇降フレーム９のピン７をピン穴６に差込む。この操作を繰り返すことによりマスト１のみを所定高さ（例えば１３階まで構築できる高さ）まで上昇させる。
【００１８】
次に、マスト１下端の固定支持台１４を支持させる梁１６（図４２では５階の梁１６）に、図３６に示すように補強材２４を取付けることにより補強した後、固定支持台１４を、図３４、図３５に示すような支持部材１８，２３による荷重支持手段１７を介して補強された梁１６上に載置し、固定プレート１９及び固定ボルト２０により梁１６に固定する。
【００１９】
これにより、クライミングクレーンの自重は５階の梁１６で支持することができ、又クライミングクレーンのモーメント荷重も固定プレート１９及び固定ボルト２０による固定によって支持できるので、再び前記と同様に、昇降装置４によってクレーン５を上昇させ、図４３に示すようにフロアを１３階まで構築する。
【００２０】
その後、１３階のフロアの梁１６を図３０に示すように補強材２４にて補強した後、上部昇降フレーム９の載置台１３を介してクライミングクレーンの自重を１３階の梁１６に支持させ、昇降装置４により再びマスト１の上昇を行う。
【００２１】
続いて、図４４に示すように８階の梁１６を図３６のような補強材２４にて補強した後、固定支持台１４を図３４、図３５の荷重支持手段１７を介して８階の梁１６に支持させると共に、固定プレート１９及び固定ボルト２０を介して梁１６に固定する。これによりクライミングクレーンの自重を８階の梁１６に支持させた状態でクレーン５によりフロアを１６階まで構築する。上記操作を繰り返すことにより、超高層ビルを構築することができる。
【００２２】
【発明が解決しようとする課題】
上記したように、従来のクライミングクレーンにおいては、上部昇降フレーム９の載置台１３又はマスト１下部に設けた固定支持台１４を介してクライミングクレーンの自重を組立てられたフロアの梁１６に支持させる際に、１つのフロアの梁１６によって支持するようにしているために、補強材２４にて梁１６を補強する必要があり、このために、クレーン作業時と、クレーン昇降及びマスト上昇時の度に、前記補強材２４をクレーンで吊って盛替えて固定する作業を必要としており、この補強材２４の着脱には時間が掛かり工期延長の原因になるという問題を有していた。
【００２３】
更に、クライミングクレーンのモーメント荷重を受けるために、支持部材１８，２３，２７と梁１６とを、上下の固定プレート１９で挟んで固定ボルト２０で締め付ける作業が必要であり、この作業が大変で時間が掛かるという問題を有していた。
【００２４】
又、鉄筋コンクリートによるビルを建設する場合には、上記したような梁の補強を鉄筋で行うことができないために、従来ではビルの内部にクライミングクレーンを設置して鉄筋コンクリートのビルを建設することは行なわれておらず、そのために、図４５に示すように、一般にビルＢの外部にクライミングクレーンＡを立設させるようにしている。
【００２５】
しかしこの場合には、ビルＢの外部の敷地にクライミングクレーンＡを設置するための広いスペースが必要になる問題があり、又、高層のビルＢを建設する場合にはクライミングクレーンＡのマストの長さが長大になるためにクレーンの揺れが大きくなる問題あり、このために、鉄筋コンクリートによる超高層ビルの建設は行なわれていないのが現状である。
【００２６】
本発明はこのような問題を解決し、クライミングクレーンの自重及びモーメント荷重を梁に分散させて支持させることにより梁の補強を不要とし、これによってビルの建設工期を短縮することができ、更に鉄筋コンクリートによる高層ビルもビル内側に配置したクライミングクレーンによって建設できるようにしたクライミングクレーンの支持方法及び装置を提供することを目的とするものである。
【００２７】
【課題を解決するための手段】
本発明は、継ぎ足し可能なマストに沿ってクレーンを昇降する昇降装置の上部昇降フレームと下部昇降フレームとを夫々別個に梁に固定可能にすると共に、マストの下端に取付けた下部支持架台と該下部支持架台より上部にてマストに取付けた上部支持架台とを別個に梁に固定可能にし、
クレーン作業時及びクライミング時におけるクレーンの自重は、マストの下部に固定した上・下部支持架台から梁上に張り出した荷重支持手段を介して下部の上下の梁により分散して支持すると共に、
マストに作用するモーメント荷重は、上・下部支持架台とマストとの間で拘束部材が当接するモーメント支持手段、及び、上・下部支持架台の荷重支持手段と梁との間で当接金物が当接するモーメント支持手段によって水平方向の移動を梁に対して拘束することにより支持し、
マストを上昇させる際におけるクレーンの自重は、上・下部昇降フレームから梁上に張り出した荷重支持手段を介して上部の上下の梁により分散して支持すると共に、
マストに作用するモーメント荷重は、上・下部昇降フレームとマストとの間で拘束部材が当接するモーメント支持手段、及び、上・下部昇降フレームの荷重支持手段と梁との間で当接金物が当接するモーメント支持手段によって水平方向の移動を梁に対して拘束することにより支持することを特徴とするクライミングクレーンの支持方法、に係るものである。
【００２８】
本発明は、継ぎ足しによって形成されるマストと、マストに沿って上下動可能に設けたクレーンと、クレーンの下部に固定されてカンヌキ装置によりマストに固定可能な上部昇降フレームと、上部昇降フレームの下部にてマストに嵌合し上部昇降フレームに伸縮シリンダを介して連結されカンヌキ装置によりマストに固定可能な下部昇降フレームと、マストの下端に取付けた下部支持架台と、下部支持架台より上部にてマストに取付けた上部支持架台とを備え、上・下部昇降フレーム及び上・下部支持架台の夫々は、構築された梁上に張り出す荷重支持手段によりクレーンの自重を支持できると共に、上・下部昇降フレーム及び上・下部支持架台の夫々とマストとの間で拘束部材が当接するモーメント支持手段と、上・下部昇降フレーム及び上・下部支持架台に備えた荷重支持手段の夫々と梁との間で当接金物が当接するモーメント支持手段とにより水平方向の移動を拘束できるようにしたことを特徴とするクライミングクレーンの支持装置、に係るものである。
【００２９】
上記において、荷重支持手段は、上・下部昇降フレーム及び上・下部支持架台に取付けた複数の水平に伸縮可能な支持部材であってもよく、このとき、支持部材の各先端には鉛直のジャッキを備えていてもよい。
【００３０】
更に、上・下部昇降フレームの荷重支持手段に備えられる複数のジャッキの高圧室、及び、上・下部支持架台の荷重支持手段に備えられる複数のジャッキの高圧室は、夫々連通管を介して接続されていてもよい。
【００３１】
又、荷重支持手段は、上・下部昇降フレーム及び上・下部支持架台の下側にて梁間に渡したビーム状の支持部材であってもよく、上・下部昇降フレーム及び上・下部支持架台に設けた水平回動可能な支持部材であってもよい。
【００３２】
上部支持架台は、マストに対する取付け位置を上下に変更可能であってもよく、このとき、上部支持架台はカンヌキ装置を介してマストに固定されていてもよい。
【００３３】
上記構成によれば以下のように作用する。
【００３４】
クライミングクレーンの自重を、上・下部昇降フレーム、又は上・下部支持架台によって、二段の梁に分散して支持させ、且つクライミングクレーンのモーメント荷重は水平方向の移動としてそれを梁に拘束させるようにしたので、１本の梁に掛かる荷重が半減されて梁の補強を省略することができ、よって、ビル建設の工数を削減して工期の短縮を図ることができる。
【００３５】
クライミングクレーンの自重を荷重支持手段を介して二段の梁に分散して支持させるようにしたことにより、クライミングクレーンにおけるモーメント荷重は梁に対して水平方向の移動として作用し、よってこの水平移動を拘束するためのモーメント支持手段は簡略な構成とすることができる。
【００３６】
更に、鉄筋コンクリート梁を補強することなしにクライミングクレーンの自重とモーメント荷重を支持することができるので、鉄筋コンクリートのビルを構築する際にも、鉄骨構造のビルを構築する際と同様のクライミングクレーンを採用できる。
【００３７】
【発明の実施の形態】
以下、本発明の好適な実施の形態を図面に基づいて説明する。
【００３８】
図１は本発明によるクライミングクレーンの支持装置の基本の概略例を示したもので、図中図２９に示したものと同一のものには同じ符号を付してその詳細な説明は省略する。
【００３９】
図１に示すクライミングクレーンは、ブロック１ａの継ぎ足しによって形成されるマスト１と、該マスト１に沿って上下動可能なクレーン５を備え、図２、図３に示すように、マスト１に嵌合してクレーン５の下部に固定されカンヌキ装置８によりマスト１に固定可能な上部昇降フレーム９と、上部昇降フレーム９の下部にてマスト１に嵌合し上部昇降フレーム９に伸縮シリンダ１０を介して連結されカンヌキ装置８によりマスト１に固定可能な下部昇降フレーム１１とからなる昇降装置４を備えている。
【００４０】
又、マスト１の下端には、図４に示すように下部支持架台２６を取付けており、該下部支持架台２６に対して所要の間隔を有する上部位置において、マスト１に上部支持架台２５を取付けている。
【００４１】
更に、図４の上部支持架台２５は、図２、図３と同様のカンヌキ装置８によってマスト１に対する取付け位置を上下に変更可能にしている。又、図４に示す下部支持架台２６にはカンヌキ装置８が備えられていないが、下部支持架台２６にもカンヌキ装置８を備えて上下に位置変更できるようにしてもよい。
【００４２】
上・下部昇降フレーム９，１１及び上・下部支持架台２５，２６は、夫々図３、図５に示すように、マスト１を挟むように平行且つ水平に備えられた支持部材２７による荷重支持手段１７によって梁１６に支持されるようになっている。
【００４３】
上部支持架台２５がカンヌキ装置８によって上下に移動できるようにしたのは、構築するビルのフロア間隔（上下の梁１６の間隔）が変化した場合にもその間隔に対応できるようにするためであり、このときマスト１が図６に示すようにパイプによって形成されている場合には、等間隔のピン穴６に対して位置が異なるピン穴６ａを形成するようにし、又、図７のようにマスト１がトラス構造の場合には、水平トラス１２の下側に調節部材１２ａを取付けて、この調節部材１２ａの下側をカンヌキ装置８のピン７によって支持する。
【００４４】
上・下部昇降フレーム９，１１及び上・下部支持架台２５，２６の夫々は、以下に説明する荷重支持手段によってクライミングクレーンの自重を構築された梁１６上に支持できるよう構成されていると共に、モーメント支持手段によって水平方向の移動を拘束できるように構成されている。
【００４５】
即ち、図１〜図５では、上・下部昇降フレーム９，１１及び上・下部支持架台２５，２６に取付けて梁１６の上側に対して水平に伸縮が可能な伸縮アーム２７ａからなる複数の支持部材２７にて構成された荷重支持手段１７の場合を示している。これにより、クライミングクレーンの自重は、昇降装置４の上・下部昇降フレーム９，１１によって二段の梁１６に分散して支持したり、又、上・下部支持架台２５，２６によって二段の梁１６に分散して支持できるようにしている。
【００４６】
更に、図１〜図５の構成においては、荷重支持手段１７を構成している各支持部材２７の先端に、鉛直なジャッキ２８を取付け、このジャッキ２８を介して荷重支持手段１７を梁１６上に支持するようにしている。
【００４７】
このとき、ジャッキ２８を備えることなく、支持部材２７の伸縮アーム２７ａを梁１６上に伸長させ、伸縮アーム２７ａによってクライミングクレーンの自重を支持するようにしてもよい。
【００４８】
ジャッキ２８を備えた場合には、上部昇降フレーム９の支持部材２７に設けられたジャッキ２８ａ，２８ｂ，２８ｃ，２８ｄと、下部昇降フレーム１１の支持部材２７に設けられたジャッキ２８ａ'，２８ｂ'，２８ｃ'，２８ｄ'とを、図８に示すように高圧室２９が直列に連通されるように配管３０で接続することができ、これにより昇降装置４を支持する全てのジャッキ２８ａ，２８ｂ，２８ｃ，２８ｄ，２８ａ'，２８ｂ'，２８ｃ'，２８ｄ'に、均等な荷重を作用させることができる。
【００４９】
又、上部支持架台２５の支持部材２７に設けられたジャッキ２８ｅ，２８ｆ，２８ｇ，２８ｈと、下部支持架台２６の支持部材２７に設けられたジャッキ２８ｅ'，２８ｆ'，２８ｇ'，２８ｈ'とを、図９に示すように高圧室２９が直列に連通されるように配管３０で接続することができ、これにより上部支持架台２５と下部支持架台２６を支持する全てのジャッキ２８ｅ，２８ｆ，２８ｇ，２８ｈ，２８ｅ'，２８ｆ'，２８ｇ'，２８ｈ'に均等な荷重を作用させることができる。
【００５０】
上記した上・下部昇降フレーム９，１１及び上・下部支持架台２５，２６を梁１６に支持するための荷重支持手段１７としては、図３、図５に示すように、伸縮可能な支持部材２７をマスト１を挟むように平行に備える場合以外に、図１６に示すように、上・下部昇降フレーム９，１１及び上・下部支持架台２５，２６の下部に十字方向に固定した固定支持台１４の下側に、ビーム状の支持部材１８を梁１６間に渡して設けるようにしてもよく、又、図１７に示すように、上・下部昇降フレーム９，１１及び上・下部支持架台２５，２６の下部に十字方向に設けた固定支持台１４の先端に水平回動可能な回動アーム２２による支持部材２３を設けたものを用いてもよい。
【００５１】
前記したように、クライミングクレーンの自重は、上・下部昇降フレーム９，１１又は上・下部支持架台２５，２６によって二段の梁１６に分散して支持するようにしているので、クライミングクレーンのモーメント荷重は、上・下部昇降フレーム９，１１又は上・下部支持架台２５，２６に対して、水平方向の移動荷重として作用することになる。よって、上・下部昇降フレーム９，１１又は上・下部支持架台２５，２６の水平方向の移動をモーメント支持手段によって拘束すれば、クライミングクレーンのモーメント荷重を支持できることになる。
【００５２】
モーメント支持手段は、上・下部昇降フレーム９，１１及び上・下部支持架台２５，２６とマスト１との間の水平移動を阻止するモーメント支持手段と、上・下部昇降フレーム９，１１及び上・下部支持架台２５，２６の支持部材１８，２３，２７の水平移動を梁１６又は構築されたフロアに対して固定するモーメント支持手段とから構成される。
【００５３】
図１０〜図１２は、上・下部昇降フレーム９，１１及び上・下部支持架台２５，２６とマスト１との間の水平移動を阻止するモーメント支持手段３２Ａの一例を示したものである。図１０〜図１２に示すように、上・下部昇降フレーム９，１１及び上・下部支持架台２５，２６の夫々の上下における周方向例えば４ヶ所には、偏心ロックローラ３３からなる拘束部材３４によってモーメント支持手段３２Ａが構成されている。偏心ロックローラ３３は、図１１、図１２に示すように偏心軸３５に支持されており、更に偏心軸３５は拘束駆動部３６によって位相が変えられるようになっている。又、偏心軸３５にはレバー３７が一体に固定されており、偏心ロックローラ３３が取付けられた固定金物３８にはレバー３７の先端の回動範囲に沿って円弧状の固定板３９が設けられており、レバー３７の先端に形成したピン孔４０と固定板３９に所定のピッチで形成された複数のピン孔４１のいずれかに固定ピン４２を挿通して偏心軸３５の回動を規制できるようにしている。
【００５４】
図１３は、上・下部昇降フレーム９，１１及び上・下部支持架台２５，２６とマスト１との間の水平移動を阻止するモーメント支持手段３２Ａの他の例を示したものである。図１３に示すように、上・下部昇降フレーム９，１１及び上・下部支持架台２５，２６の夫々に、マスト１側に傾斜面を有する楔受け４３を固定金物３８を介して固定し、マスト１と楔受け４３の間に、固定楔４４をジャッキ等の固定駆動部４５にて挿脱できるようにした拘束部材３４によってモーメント支持手段３２Ａが構成されている。
【００５５】
図１４、図１５は、図２〜図５においてジャッキ２８を備えていない場合の支持部材２７、及び図１６のビーム状の支持部材１８或いは図１７の回動可能な支持部材２３を、梁１６又は構築されたフロアに対して横移動を拘束するように支持するモーメント支持手段３２Ｂを示している。
【００５６】
図１４、図１５及び図１６、図１７では、上記支持部材１８，２３，２７を、当接金物４６ａによる固定部材４６によって梁１６に対して水平移動ができないように固定している。このとき、上・下部昇降フレーム９，１１が同時に梁１６又はフロアに当たって均等な荷重を受け、上・下部支持架台２５，２６が同時に梁１６又はフロアに当たって均等な荷重を受けられように、図１４のように支持部材１８，２３，２７と梁１６又はフロアとの間には、ゴム等のスペーサ４７を設けるようにしている。
【００５７】
上記において、梁１６が鉄筋コンクリート梁の場合には、図１８に示すように、支持部材１８，２３，２７の先端下部に凸型当接金物４８を固定し、凸型当接金物４８に嵌合する凹型当接金物４９をアンカーボルト５０により鉄筋コンクリート梁１６'に固定した固定部材５１としてもよい。このとき、凸型当接金物４８と凹型当接金物４９との間にゴム等のスペーサ４７を設けることができる。
【００５８】
図１９、図２０は、支持部材２７にジャッキ２８が備えられている場合におけるモーメント支持手段３２Ｂの一例を示したものであり、梁１６又はフロア上に、支持部材２７の先端と左右両側に対向するようにブラケットによる固定部材５２を固定し、各固定部材５２と支持部材２７との間に隙間調整を行う当接金物５２ａを設けている。
【００５９】
図２１、図２２は、支持部材２７にジャッキ２８が備えられている場合におけるモーメント支持手段３２Ｂの他の例を示したものであり、支持部材２７の先端に近い下側に、梁１６又はフロアの内側に対向するようにブラケットによる固定部材５３を固定し、該固定部材５３の下端と対向する梁１６又はフロアの内側面に当接金物５４を設けている。又、固定部材５３と当接金物５４とは平面形状が図２２のように互いに嵌合する凹凸形状を有しており、これによってＸ方向以外にＹ方向の移動も拘束できるようになっている。
【００６０】
以下に上記形態例の作用を説明する。
【００６１】
図２３〜図２８は、クライミングクレーンにより鉄骨構造のビルを構築する方法の概略を示したものであり、先ず、図２３に示すように、二段のブロック１ａが接続されたマスト１を、アンカーボルト３により固定台２を介してビルの基礎に鉛直に固定し、マスト１に昇降装置４及びクレーン５を取付ける。
【００６２】
続いて、クレーン５によりマスト１の上部にブロック１ａを継ぎ足してマスト１を上方に延長すると共に、昇降装置４によりクレーン５をマスト１に沿って上昇させる作業を行い、このとき、クレーン５により柱材１５や梁１６等を吊上げ、旋回操作を行って既設部分に連結することによりフロアを順次構築し、図２４に示すように例えば１１階までフロアを構築する。
【００６３】
続いて、上部昇降フレーム９と下部昇降フレーム１１とを、荷重支持手段１７を介して９階と１０階の梁１６に支持させる。
【００６４】
このとき、荷重支持手段１７が、図１〜図５においてジャッキ２８を備えていない伸縮アーム２７ａによる支持部材２７の場合には該支持部材２７によって、又、図１６のビーム状の支持部材１８の場合は該支持部材１８によって、更に、図１７の回動アーム２２による回動可能な支持部材２３の場合は該支持部材２３によって、更に又、図１〜図５に示すように支持部材２７にジャッキ２８を備えている場合には該ジャッキ２８によって、夫々梁１６上に支持させる。
【００６５】
又このとき、支持部材１８，２３，２７によって支持する場合には、図１４、図１８に示すようにスペーサ４７を配置することによって、クライミングクレーンの自重が上部昇降フレーム９と下部昇降フレーム１１を介して９階と１０階の梁１６に均等に分散されるようにする。
【００６６】
このように、クライミングクレーンの自重が９階と１０階の梁１６に分散されると、クライミングクレーンの重心の変動によるモーメント荷重は、上部昇降フレーム９と下部昇降フレーム１１とに水平逆方向の移動荷重として作用することになる。
【００６７】
このために、上・下部昇降フレーム９，１１とマスト１との間の水平移動をモーメント支持手段３２Ａで拘束し、又、上・下部昇降フレーム９，１１に備えた荷重支持手段１７の水平移動を梁１６又はフロアに対して固定するモーメント支持手段３２Ｂによって拘束する。
【００６８】
即ち、図１０〜図１２に示す偏心ロックローラ３３による拘束部材３４を備えたモーメント支持手段３２Ａでは、拘束駆動部３６により偏心軸３５を回転して偏心ロックローラ３３を梁１６に押付けた状態で、レバー３７のピン孔４０と固定板３９の所定のピン孔４１とに固定ピン４２を挿通して偏心軸３５の回動を規制する。
【００６９】
又、図１３のような楔機構による拘束部材３４を備えたモーメント支持手段３２Ａの場合には、マスト１と楔受け４３の間に、固定楔４４を固定駆動部４５で押し込むことにより拘束する。
【００７０】
一方、支持部材１８，２３，２７による荷重支持手段１７によってクライミングクレーンの自重を梁１６に支持する場合には、図１４、図１５又は図１６、図１７に示すように、当接金物４６ａによる固定部材４６からなるモーメント支持手段３２Ｂによって支持部材１８，２３，２７を梁１６に対して水平移動できないように固定する。
【００７１】
又、図１〜図５に示すように支持部材２７にジャッキ２８が備えられている場合には、図１９、図２０に示すように、梁１６又はフロアに固定した固定部材５２と支持部材２７との間に当接金物５２ａを設置するモーメント支持手段３２Ｂによって支持する。或いは、図２１、図２２に示すように、支持部材２７に固定した固定部材５３と梁１６又はフロアとの間に当接金物５４を設置するモーメント支持手段３２Ｂによって支持する。
【００７２】
このとき、ジャッキ２８を備えていると、上下の梁１６の間隔が僅かに変化していることがあっても、上下の梁１６にクライミングクレーンの自重を分散させて支持することができる。
【００７３】
又、図８に示すように、上部昇降フレーム９の支持部材２７に設けられたジャッキ２８ａ，２８ｂ，２８ｃ，２８ｄと、下部昇降フレーム１１の支持部材２７に設けられたジャッキ２８ａ'，２８ｂ'，２８ｃ'，２８ｄ'の全ての高圧室２９を配管３０で直列に接続すると、クライミングクレーンの自重を二段の梁１６に支持させる際に、上・下部昇降フレーム９，１１の全てのジャッキ２８に夫々均等な荷重を作用させることができ、一部のジャッキ２８に過大な負荷が作用するのを防止できる。
【００７４】
上記によれば、クライミングクレーンの自重が、上部昇降フレーム９と下部昇降フレーム１１により荷重支持手段１７を介して９階と１０階の梁１６に分散して支持されることになり、よって従来の図３０、図３６に示したような梁１６を補強するための補強材２４を設けることなしに、クライミングクレーンの自重を梁１６に支持させることができる。
【００７５】
又、このようにクライミングクレーンの自重が９階と１０階の梁１６に分散されると、クライミングクレーンの重心の変動によるモーメント荷重は、上部昇降フレーム９と下部昇降フレーム１１とに水平逆方向の移動荷重として作用することになるので、拘束部材３４によるモーメント支持手段３２Ａと、当接金物４６ａ、４８，４９、５２ａ、５４を持つ固定部材４６，５１，５２，５３によるモーメント支持手段３２Ｂとにより、簡単な構成にて、水平方向の移動を容易に拘束することができる。
【００７６】
上記図２４に示したように、クライミングクレーンの自重を９階と１０階の梁１６に支持させた状態から、マスト１を下端の固定台２から切り離し、図２５に示すようにマストの下部に上部支持架台２５と下部支持架台２６とを取付ける。
【００７７】
続いて、昇降装置４によってマスト１のみを所定高さ（例えば１４階まで構築できる高さ）まで上昇させる。
【００７８】
次に、図２６に示すように、マスト１下端の下部支持架台２６と上部支持架台２５とを、前記した昇降装置４の上部昇降フレーム９と下部昇降フレーム１１の場合と同様に、荷重支持手段１７を介して例えば５階と８階の梁１６に支持させ、クライミングクレーンの自重を下部の二段の梁１６にて分散して支持させるようにする。又、前記と同様に、モーメント支持手段３２Ａ，３２Ｂによって水平方向の移動を拘束する。
【００７９】
これにより、マスト１は二段の梁１６にしっかり支持されるので、図２６に示すように昇降装置４によりクレーン５を上昇させ、且つ図２７に示すようにフロアを１４階まで構築する。
【００８０】
その後、昇降装置４の上部昇降フレーム９と下部昇降フレーム１１とを、図２７に示すように再び荷重支持手段１７を介し前記と同様にして１３階と１４階の梁１６に支持させ、クライミングクレーンの自重を１３階と１４階の梁１６に支持させ、又、モーメント支持手段３２Ａ，３２Ｂによって水平方向の移動を拘束する。この状態で、図２６に示すように、昇降装置４によってマスト１のみを再び上昇させる。
【００８１】
続いて、図２８に示すように、マスト１下端の下部支持架台２６と上部支持架台２５とを、前記と同様に荷重支持手段１７を介して例えば８階と１１階の梁１６に支持させ、クライミングクレーンの自重を二段の梁１６にて分散して支持させ、又、前記と同様に、モーメント支持手段３２Ａ，３２Ｂによって水平方向の移動を拘束する。このようにクライミングクレーンの自重を８階と１１階の梁１６に支持させた状態でクレーン５によりフロアを１７階まで構築する。上記操作を繰り返すことにより、超高層ビルを構築することができる。
【００８２】
又、上記したように、クライミングクレーンの自重を二段の梁に分散して支持させるようにしたので、１本の梁に掛かる荷重が半減されて梁の補強が不要になるので、鉄筋コンクリートのビルも上記したクライミングクレーンによって建設することが可能になる。
【００８３】
従って、鉄筋コンクリートのビルを構築する場合において、図１８に示すように、支持部材１８，２３，２７の先端下部に凸型当接金物４８を固定し、鉄筋コンクリート梁１６'に前記凸型当接金物４８に嵌合する凹型当接金物４９をアンカーボルト５０により固定すると、クライミングクレーンのモーメント荷重によって支持部材１８，２３，２７に作用する水平移動を拘束することができる。
【００８４】
これにより、鉄筋コンクリート梁１６'を補強することなしにクライミングクレーンの自重とモーメント荷重を支持することができ、よって鉄筋コンクリートのビルを構築する際にも、前記したようなクライミングクレーンを採用することができる。
【００８５】
【発明の効果】
本発明によれば、クライミングクレーンの自重を、上・下部昇降フレーム、又は上・下部支持架台によって、二段の梁に分散して支持させ、且つクライミングクレーンのモーメント荷重は水平方向の移動としてそれを梁に拘束させるようにしたので、１本の梁に掛かる荷重が半減されて梁の補強を省略することができ、よって、ビル建設の工数を削減して工期の短縮を図れる効果がある。
【００８６】
クライミングクレーンの自重を荷重支持手段を介して二段の梁に分散して支持させるようにしたことにより、クライミングクレーンにおけるモーメント荷重は梁に対して水平方向の移動として作用し、よってこの水平移動を拘束するためのモーメント支持手段は簡略な構成とすることができる効果がある。
【００８７】
更に、鉄筋コンクリート梁を補強することなしにクライミングクレーンの自重とモーメント荷重を支持することができるので、鉄筋コンクリートのビルを構築する際にも、鉄骨構造のビルを構築する場合と同様のクライミングクレーンを採用して構築できる効果がある。
【図面の簡単な説明】
【図１】  本発明の実施の形態の一例を示す正面図である。
【図２】  図１の昇降装置を構成している上・下部昇降フレームの詳細図である。
【図３】  図２をＩＩＩ−ＩＩＩ方向から見た平面図である。
【図４】  図１における上・下部支持架台の詳細図である。
【図５】  図４をＶ−Ｖ方向から見た平面図である。
【図６】  マストの一例を示す側面図である。
【図７】  マストの他の例を示す側面図である。
【図８】  上・下部昇降フレームに備えたジャッキの接続例を示す側面図である。
【図９】  上・下部支持架台に備えたジャッキの接続例を示す側面図である。
【図１０】  拘束部材によるモーメント支持手段の一例を示す側面図である。
【図１１】  図１０の部分拡大図である。
【図１２】  図１０の平面図である。
【図１３】  拘束部材によるモーメント支持手段の他の例を示す側面図である。
【図１４】  荷重支持手段の支持部材を、固定部材によるモーメント支持部材によって梁に支持する状態の一例を示す平面図である。
【図１５】  図１４の平面図である。
【図１６】  ビーム状の支持部材を、固定部材によるモーメント支持部材によって梁に支持する状態の他の例を示す平面図である。
【図１７】  回動可能な支持部材を、固定部材によるモーメント支持部材を介して梁に支持する状態の更に他の例を示す平面図である。
【図１８】  荷重支持手段の支持部材を、固定部材を介して鉄筋コンクリート梁に固定する場合の例を示す側面図である。
【図１９】  支持部材にジャッキが備えられた場合の支持部材を、固定部材によるモーメント支持部材によって梁に支持する状態の例を示す側面図である。
【図２０】  図１９の平面図である。
【図２１】  支持部材にジャッキが備えられた場合の支持部材を、固定部材によるモーメント支持部材によって梁に支持する状態の他の例を示す側面図である。
【図２２】  図２１の平面図である。
【図２３】  本発明の形態例におけるクライミングクレーンのマストを基礎に固定した状態を示す正面図である。
【図２４】  フロアを１１階まで構築し、上・下部昇降フレームを別々の梁に支持させた状態を示す正面図である。
【図２５】  マストを上昇させている状態を示す正面図である。
【図２６】  マストを上・下部支持架台によって別々の梁に支持させ、クレーンを上昇させた状態を示す正面図である。
【図２７】  フロアを１４階まで構築し、上・下部昇降フレームを別々の梁に支持させた状態を示す正面図である。
【図２８】  マストを上・下部支持架台によって別々の梁に支持させ、クレーンを上昇させてフロアを１７階まで構築した状態を示す正面図である。
【図２９】  従来のクライミングクレーンの一例を示す正面図である。
【図３０】  図２９の昇降装置の上部昇降フレームを載置台により梁に支持させている状態を示す詳細図である。
【図３１】  図３０の昇降装置の平面図である。
【図３２】  マストの一例を示す側面図である。
【図３３】  マストの他の例を示す側面図である。
【図３４】  ビーム状の支持部材によりマストを梁に支持している状態を示す平面図である。
【図３５】  回動可能な支持部材によりマストを梁に支持している状態を示す平面図である。
【図３６】  図２９の固定支持台を梁に支持している状態を示す側面図である。
【図３７】  図３５の回動可能な支持部材を回動させた状態の一例を示す平面図である。
【図３８】  図３５の回動可能な支持部材を回動させた状態の他の例を示す平面図である。
【図３９】  従来のクライミングクレーンのマストを基礎に固定した状態を示す正面図である。
【図４０】  フロアを１０階まで構築し、上部昇降フレームを載置台を介して梁に支持させた状態を示す正面図である。
【図４１】  マストを上昇させている状態を示す正面図である。
【図４２】  マストを固定支持台にて梁に支持させ、クレーンを上昇させた状態を示す正面図である。
【図４３】  フロアを１３階まで構築し、上部昇降フレームを載置台にて梁に支持させた状態を示す正面図である。
【図４４】  マストを固定支持台にて梁に支持させ、クレーンを上昇させてフロアを１６階まで構築した状態を示す正面図である。
【図４５】  鉄筋コンクリートにてビルを建設する場合の一般例を示す平面図である。
【符号の説明】
１  マスト
４  昇降装置
５  クレーン
８  カンヌキ装置
９  上部昇降フレーム
１０  伸縮シリンダ
１１  下部昇降フレーム
１６  梁
１６'        鉄筋コンクリート梁（梁）
１７  荷重支持手段
１８  支持部材
２２  回動アーム
２３  支持部材
２５  上部支持架台
２６  下部支持架台
２７  支持部材
２７ａ        伸縮アーム
２８  ジャッキ
２８ａ〜２８ｄ   ジャッキ
２８ａ'〜２８ｄ'        ジャッキ
２８ｅ〜２８ｈ        ジャッキ
２８ｅ'〜２８ｈ'        ジャッキ
２９  高圧室
３０  配管
３２Ａ        モーメント支持手段
３２Ｂ        モーメント支持手段
３３  偏心ロックローラ
３４  拘束部材
４３  楔受け
４４  固定楔
４６  固定部材
４６ａ        当接金物
４８  凸型当接金物（当接金物）
４９  凹型当接金物
５１  固定部材
５２  固定部材
５２ａ        当接金物
５３  固定部材
５４  当接金物
【図１】
0004511657.tif 000002
【図２】
0004511657.tif 000003
【図３】
0004511657.tif 000004
【図４】
0004511657.tif 000005
【図５】
0004511657.tif 000006
【図６】
0004511657.tif 000007
【図７】
0004511657.tif 000008
【図８】
0004511657.tif 000009
【図９】
0004511657.tif 000010
【図１０】
0004511657.tif 000011
【図１１】
0004511657.tif 000012
【図１２】
0004511657.tif 000013
【図１３】
0004511657.tif 000014
【図１４】
0004511657.tif 000015
【図１５】
0004511657.tif 000016
【図１６】
0004511657.tif 000017
【図１７】
0004511657.tif 000018
【図１８】
0004511657.tif 000019
【図１９】
0004511657.tif 000020
【図２０】
0004511657.tif 000021
【図２１】
0004511657.tif 000022
【図２２】
0004511657.tif 000023
【図２３】
0004511657.tif 000024
【図２４】
0004511657.tif 000025
【図２５】
0004511657.tif 000026
【図２６】
0004511657.tif 000027
【図２７】
0004511657.tif 000028
【図２８】
0004511657.tif 000029
【図２９】
0004511657.tif 000030
【図３０】
0004511657.tif 000031
【図３１】
0004511657.tif 000032
【図３２】
0004511657.tif 000033
【図３３】
0004511657.tif 000034
【図３４】
0004511657.tif 000035
【図３５】
0004511657.tif 000036
【図３６】
0004511657.tif 000037
【図３７】
0004511657.tif 000038
【図３８】
0004511657.tif 000039
【図３９】
0004511657.tif 000040
【図４０】
0004511657.tif 000041
【図４１】
0004511657.tif 000042
【図４２】
0004511657.tif 000043
【図４３】
0004511657.tif 000044
【図４４】
0004511657.tif 000045
【図４５】
0004511657.tif 000046